(57)【要約】【課題】簡単な構造棒状部材を２本用いることで、軽量で作業現場に容易に運搬することができ、安定した足場の構築が図れ、更に架線に容易に設置する。【解決手段】断面が略四角形状の部材から成る足場棒材２と、２本の足場棒材２をその一端側同士で連結すると共に、架線Ｌに掛け止める連結用ロープ３と、両足場棒材２を並列した状態で両側面が分離しないように着脱自在に連結する連結具４と、各足場棒材２の他端側と、塔体Ｂ又は碍子連Ｉ側とに掛け止める掛止め用ロープ５とを備えた。【選択図】図１
2010090667.tif 000002
【特許請求の範囲】
【請求項１】
鉄塔（Ｔ）における架線（Ｌ）、碍子連（Ｉ）を保守点検する際に、該鉄塔（Ｔ）の塔体（Ｂ）、架線（Ｌ）、碍子連（Ｉ）に着脱自在に設置する送電鉄塔用仮足場であって、
断面が略四角形状の部材から成る足場棒材（２）と、
２本の足場棒材（２）をその一端側同士で連結すると共に、前記架線（Ｌ）に掛け止める連結用ロープ（３）と、
両足場棒材（２）を並列した状態で両側面が分離しないように着脱自在に連結する連結具（４）と、
各足場棒材（２）の他端側と、前記塔体（Ｂ）又は碍子連（Ｉ）側とに掛け止める掛止め用ロープ（５）と、を備えた、ことを特徴とする送電鉄塔用仮足場。
【請求項２】
前記両足場棒材（２）を連結する連結用ロープ（３）は、その長さを調節し得るように構成した、ことを特徴とする請求項１の送電鉄塔用仮足場。
【請求項３】
前記連結具（４）は、前記足場棒材（２）の一側面に、多数のフック状の部材を植設して成る係合部材を取り付け、他の足場棒材（２）の一側面に該係合部材を着脱自在に掛け止められる多数のループ状の部材を植設して成る被係合部材を取り付けたものである、ことを特徴とする請求項１の送電鉄塔用仮足場。
【請求項４】
前記連結具（４）は、前記足場棒材（２）の一側面に横断面が横向き略Ｌ字形状の受け金具（１１）を取り付け、該受け金具（１１）に他の足場棒材（２）を着脱自在に掛け止められるように構成したものである、ことを特徴とする請求項１の送電鉄塔用仮足場。
【請求項５】
前記連結具（４）は、前記足場棒材（２）の一側面に鉤部（１２）を形成し、他の足場棒材（２）の一側面に該鉤部（１２）を着脱自在に掛け止められる鉤部（１２）を形成したものである、ことを特徴とする請求項１の送電鉄塔用仮足場。
【発明の詳細な説明】
【技術分野】
【０００１】
本発明は、鉄塔上部において架線、碍子連を保守点検する際に作業者が乗る作業用足場に係り、特に軽量で容易に運搬することができる送電鉄塔用仮足場に関する。
【背景技術】
【０００２】
鉄塔上部において電線への乗り出し作業では、作業足場を確保する必要がある。この高所に設置する作業用足場としては、例えば架線梯子型作業足場又はロープ等が使用されている。
【０００３】
架線梯子型作業足場５１は、図７に示すように、２本の板材５２間に複数本の横木５３を取り付けた足場本体５４と、この足場本体５４の長手方向の一端側に棒状部材５５を介して吊下げフック５６を取り付け、他端側にボルト・ナット等の取付金具５７を備えたものである。このような架線梯子型作業足場５１は、碍子連Ｉの点検作業に際して、吊下げフック５６を碍子連Ｉ等に引っ掛け、安全装置を取り付け、取付金具５７を塔体Ｂ側のアングルに固定して設置が完了する。
この架線梯子型作業足場５１では、足場本体５４をボルト・ナット等の取付金具５７で塔体Ｂのアングルに強固に固定する構造であるため、作業中に揺れることがなく、安定した点検作業を実施することができる。
【０００４】
また、安定した点検作業を実施するための足場に関する技術としては、例えば特許文献１の特開２０００−３２４６３２公報「架空送電線の鉄塔部作業用の作業足場」のように、下端部に足場板を取り付けた足場主柱の上端部に、鉄塔の腕金の水平な腕金主材に引っ掛け可能なフック部を持つ連結部を設けた架空送電線の鉄塔部作業用の作業足場が提案されている。
【特許文献１】特開２０００−３２４６３２公報
【０００５】
最も簡単なものとしてはロープ式足場が用いられている。このロープ式足場は、ロープの一端を鉄塔における架線、碍子連等を架け止め、そのロープの他端を鉄塔の塔体等に架け止める方式の足場である。
【発明の開示】
【発明が解決しようとする課題】
【０００６】
しかし、架線梯子型作業足場５１は、アルミニウム製の足場本体５４の全長が２．０ｍ〜３．０ｍと長く、鉄塔への固定には金属製の取付金具５７を用いているため総重量が１３ｋｇ〜１７ｋｇと重たいものである。そのために、山間部への運搬が大変であり．軽易な作業には不向きであるという問題も有していた。
【０００７】
また、特許文献１の「架空送電線の鉄塔部作業用の作業足場」は、軽易な作業には不向きであり、これも山間部への人力負担を伴うものであった。また、複雑な組み立てにより構築に手間取るという問題も有していた。
【０００８】
更に、ロープ式足場は、図８に示すように、ロープＲを使用した足場は安定しておらず，作業体勢によっては体に食い込むことや．風がある場合や碍子連が長い場合、クランプ先にロープＲを引っ掛けることが難しい等の問題が生じていた。
【０００９】
本発明は、かかる問題点を解決するために創案されたものである。すなわち、本発明の目的は、簡単な構造棒状部材を２本用いることで、軽量で作業現場に容易に運搬することができ、安定した足場の構築が図れ、更に架線に容易に設置できる送電鉄塔用仮足場を提供することにある。
【課題を解決するための手段】
【００１０】
本発明によれば、鉄塔（Ｔ）における架線（Ｌ）、碍子連（Ｉ）を保守点検する際に、該鉄塔（Ｔ）の塔体（Ｂ）、架線（Ｌ）、碍子連（Ｉ）に着脱自在に設置する送電鉄塔用仮足場であって、断面が略四角形状の部材から成る足場棒材（２）と、２本の足場棒材（２）をその一端側同士で連結すると共に、前記架線（Ｌ）に掛け止める連結用ロープ（３）と、両足場棒材（２）を並列した状態で両側面が分離しないように着脱自在に連結する連結具（４）と、各足場棒材（２）の他端側と、前記塔体（Ｂ）又は碍子連（Ｉ）側とに掛け止める掛止め用ロープ（５）と、を備えた、ことを特徴とする送電鉄塔用仮足場が提供される。
前記両足場棒材（２）を連結する連結用ロープ（３）は、その長さを調節し得るように構成することが好ましい。
【００１１】
例えば、前記連結具（４）は、前記足場棒材（２）の一側面に、多数のフック状の部材を植設して成る係合部材を取り付け、他の足場棒材（２）の一側面に該係合部材を着脱自在に掛け止められる多数のループ状の部材を植設して成る被係合部材を取り付けたものである。
前記連結具（４）は、前記足場棒材（２）の一側面に横断面が横向き略Ｌ字形状の受け金具（１１）を取り付け、該受け金具（１１）に他の足場棒材（２）を着脱自在に掛け止められるように構成したものである。
前記連結具（４）は、前記足場棒材（２）の一側面に鉤部（１２）を形成し、他の足場棒材（２）の一側面に該鉤部（１２）を着脱自在に掛け止められる鉤部（１２）を形成したものである。
【発明の効果】
【００１２】
本発明の構成では、塔体（Ｂ）側から２本の足場棒材（２）の連結用ロープ（３）を、架線（Ｌ）に掛け止め、次に各足場棒材（２）の側面同士を連結具（４）で連結し、最後にこの足場棒材（２）他端側の掛止め用ロープ（５）を塔体（Ｂ）側に掛け止めて設置が完了する。特に、２本の足場棒材（２）が軽量であり、山間部への運搬が容易であり、鉄塔（Ｔ）上部への運搬も容易である。また、架線（Ｌ）への取り付けも、足場棒材（２）の連結用ロープ（３）を架線（Ｌ）に掛け止めるだけであり、迅速に設置することができる。
【００１３】
また、両足場棒材（２）を連結する連結用ロープ（３）の長さを調節することにより、足場棒材（２）の傾きを自由に調整することができる。また、掛止め用ロープ（５）を掛け止める位置を自由に選択することにより、足場棒材（２）の設置方向も容易に可変することができる。
【００１４】
連結具（４）で、２本の足場棒材（２）をその側面同士で連結しているので、足場として充分な面積があり、安全な作業が可能になる。２本の足場棒材（２）は剛性を有する材質からなるので、従来のロープのように不安定にならず、作業者は安定した足場での作業が可能になる。
【発明を実施するための最良の形態】
【００１５】
本発明の送電鉄塔用仮足場は、連結用ロープで連結した２本の足場棒を、この連結用ロープ部分を架線に掛け止め、各足場棒材の他端側の掛止め用ロープを塔体側に掛け止め、かつ両足場棒材を並列させて足場とするものである。
【実施例１】
【００１６】
以下、本発明の好ましい実施の形態を図面を参照して説明する。
図１は実施例１の送電鉄塔用仮足場を示し、（ａ）は平面図、（ｂ）は側面図、（ｃ）は底面図である。
実施例１の送電鉄塔用仮足場１は、２本の足場棒材２と、この足場棒材２の一端側同士を連結する連結用ロープ３と、両足場棒材２を並列した状態で分離しないように着脱自在に連結する連結具４と、各足場棒材２の他端側と塔体Ｂ側に掛け止める掛止め用ロープ５とを備えたものである。この送電鉄塔用仮足場１は、鉄塔Ｔにおける架線Ｌ、碍子連Ｉを保守点検する際に、鉄塔Ｔの塔体Ｂ、架線Ｌ、碍子連Ｉに着脱自在に設置するものである。
【００１７】
足場棒材２は、断面が略四角形状の部材である。足場棒材２の断面が略四角形状にした理由は、２本の足場棒材２を並列したときに、１０ｃｍ程度の幅が形成され、仮足場として十分な幅が確保されるからである。なお、側面同士を接触させることができれば、略四角形状に限定されず、他の多角形状の部材を用いることもできる。
【００１８】
足場棒材２は、例えばアルミニウム製のパイプから成る部材である。軽量かつ強固に構成したものであり、高所に容易に運搬できるように中空に形成したものが好ましい。素材もある程度の剛性があれば、アルミニウム製に限定されず他の金属、又はプラスチック製の中空材を用いることができる。あるいは木製の棒材を用いることも可能である。
【００１９】
両足場棒材２の表面には、作業中に靴が滑らないように凹凸の滑り止め構造（図示していない）を形成することができる。または、足場棒材２の表面にゴムシート（図示していない）を貼り付けたものでもよい。
【００２０】
連結用ロープ３は、２本の足場棒材２をその一端側同士を連結するロープである。この連結用ロープ３は架線Ｌに掛け止める機能を有する。この連結用ロープ３は、各足場棒材２の一端に貫通させた挿通孔に１本のロープを通し、両端に抜け止めを形成したものである。連結用ロープ３は、連結用ロープ調整抜け止め具６を用いてその長さを調節するようになっている。この連結用ロープ３の長さは、その半分の長さが、そのまま架線Ｌから垂下する距離となる。この連結用ロープ３は、交換可能に取り付けることができる。
【００２１】
この連結用ロープ３には、架線Ｌに掛け止めたときに、ロープを損傷させないように保護用のゴムチューブ（図示していない）で覆うことも可能である。
【００２２】
図１（ａ）に示すように、足場棒材２の各側面に形成した連結具４は、例えば足場棒材２の一側面に、多数のフック状の部材を植設して成る係合部材を取り付け、他の足場棒材２の一側面にこの係合部材を着脱自在に掛け止められる多数のループ状の部材を植設して成る被係合部材を取り付けたものである。
【００２３】
この連結具４が２本の足場棒材２をその側面同士で強固に連結しているので、足場として充分な面積を確保し、安全な作業を可能にさせる。勿論、この連結具４は作業が終了したときに、簡単に剥離できる程度の密着力が好ましい。
【００２４】
掛止め用ロープ５は、各足場棒材２の他端側と、塔体Ｂ又は腕金等に掛け止めるロープである。掛止め用ロープ５は、足場棒材２の他端に取り付けた掛止め用ロープ環７に結びつけた１本のロープである。この掛止め用ロープ５を塔体Ｂ又は碍子連Ｉに固定することにより、前述した連結用ロープ３と共に、足場棒材２を吊り下げる機能を有する。なお、掛止め用ロープ５を塔体Ｂ又は碍子連Ｉに固定する手段は従来からの種々の方法、手段を用いる。
【００２５】
図２は本発明の送電鉄塔用仮足場を架線に掛け止める手順を示す側面図であり、（ａ）は連結用ロープを架線に掛け止める前の状態、（ｂ）は連結用ロープを架線に掛け止める状態、（ｃ）は足場棒材を並べる状態、（ｄ）は足場棒材を連結した状態である。図３は送電鉄塔用仮足場を架線と鉄塔に設置した状態を示す正面図である。
本発明の送電鉄塔用仮足場１を架線Ｌに掛け止める手順を示す。先ず、塔体Ｂ側から２本の足場棒材２の連結用ロープ３を、架線Ｌに掛け止める（図２（ａ））。このときは、本発明の足場棒材２は軽量であるために、足場棒材２の連結用ロープ３側が先端になるように、２本の足場棒材２の後端部を持ち、架線Ｌの上方から掛け止める。掛け止めた後、２本の足場棒材２を並列するように揃える（図２（ｂ））。
【００２６】
次に、２本揃えた足場棒材２は、その側面同士を連結具４で連結する。最後に、図３に示すように、この足場棒材２他端側の掛止め用ロープ５を塔体Ｂ等に掛け止めて設置が完了する。
【００２７】
更に、図３に示すように、足場棒材２の途中に振止め用ロープ８を取り付けることができる。この振止め用ロープ８は、例えば足場棒材２に設けたロープ環９に結び付ける。この振止め用ロープ８は、足場棒材２と、碍子連Ｉ、塔体Ｂ又は腕金とに掛け渡すロープである。この振止め用ロープ８は、足場棒材２と、碍子連Ｉ、塔体Ｂ又は腕金とに掛け渡し、足場棒材２の揺れを防止する機能を有する。
【００２８】
図４は連結用ロープの使用例を示す側面図であり、（ａ）は通常の長さの状態、（ｂ）は短くした状態、（ｃ）は長くした状態である。
両足場棒材２を連結する連結用ロープ３は、その長さを連結用ロープ調整抜け止め具６で調節し得るように構成した。この連結用ロープ３の長さを調節することにより、この足場棒材２の傾きを自由に調整することができる。また掛止め用ロープ５を掛け止める位置を自由に選択することにより、足場棒材２の設置方向も容易に可変することができる。例えば、図３に示したように、足場棒材２の前方（紙面上の左側）が高くなるようにするときは、図４（ｂ）に示すように、連結用ロープ３を短くする。逆に、足場棒材２の前方が低くなるようにするときは、図４（ｃ）に示すように、連結用ロープ３を長くする。
【実施例２】
【００２９】
図５は連結具を変形した実施例２の送電鉄塔用仮足場を示す側面図であり、（ａ）は架線に掛け止める前の状態、（ｂ）は架線に掛け止めた状態である。
実施例２の連結具４は、足場棒材２の一側面に足場棒材２が嵌まるように横断面が横向き略Ｌ字形状の受け金具１１を２個取り付け、これらの受け金具１１に他の足場棒材２を着脱自在に掛け止められるように構成したものである。この連結具４は送電鉄塔用仮足場１を架線Ｌに掛け止めたときは勿論のこと、掛け止める前の運搬の際にも利用する。２本の足場棒材２が分離せず、容易に運搬することができる。または、横断面が上向き略コ字形状の受け金具（図示していない。）を取り付けることも可能である。
【実施例３】
【００３０】
図６は連結具を変形した実施例３の送電鉄塔用仮足場を示し、（ａ）は架線に掛け止める前の平面図、（ｂ）は架線に掛け止める状態の側面図である。
実施例３の連結具は、足場棒材２の一側面に鉤部１２を形成し、他の足場棒材２の一側面にこの鉤部１２に着脱自在に掛け止められる鉤部１２を形成したものである。この実施例３の連結具４も、足場棒材２を容易に連結することができ、作業が終了したときに、容易に剥離することができる。
【００３１】
なお、本発明は上述した発明の実施の形態に限定されず、簡単な構造の棒状部材２を２本用いることで、軽量で作業現場に容易に運搬することができ、安定した足場の構築が図れ、更に架線に迅速に設置できる構造であれば、図示したような構成に限定されず、本発明の要旨を逸脱しない範囲で種々変更できることは勿論である。
【産業上の利用可能性】
【００３２】
本発明の送電鉄塔用仮足場は、送電用鉄塔のように架線がある鉄塔において利用することができる。
【図面の簡単な説明】
【００３３】
【図１】実施例１の送電鉄塔用仮足場を示し、（ａ）は平面図、（ｂ）は側面図、（ｃ）は底面図である。
【図２】本発明の送電鉄塔用仮足場を架線に掛け止める手順を示す側面図であり、（ａ）は連結用ロープを架線に掛け止める前の状態、（ｂ）は連結用ロープを架線に掛け止める状態、（ｃ）は足場棒材を並べる状態、（ｄ）は足場棒材を連結した状態である。
【図３】送電鉄塔用仮足場を架線と鉄塔に設置した状態を示す正面図である。
【図４】連結用ロープの使用例を示す側面図であり、（ａ）は通常の長さの状態、（ｂ）は短くした状態、（ｃ）は長くした状態である。
【図５】連結具を変形した実施例２の送電鉄塔用仮足場を示す側面図であり、（ａ）は架線に掛け止める前の状態、（ｂ）は架線に掛け止めた状態である。
【図６】連結具を変形した実施例３の送電鉄塔用仮足場を示し、（ａ）は架線に掛け止める前の平面図、（ｂ）は架線に掛け止める状態の側面図である。
【図７】従来の架線梯子型作業足場を示す斜視図である。
【図８】ロープ式足場を示す説明図である。
【符号の説明】
【００３４】
１  送電鉄塔用仮足場
２  足場棒材
３  連結用ロープ
４  連結具
５  掛止め用ロープ
６  連結用ロープ調整抜け止め具
７  掛止め用ロープ環
８  振止め用ロープ
９  振止め用ロープ環
１１  受け金具（連結具）
１２  鉤部（連結具）
Ｌ  架線
Ｉ  碍子連
Ｔ  鉄塔
Ｂ  鉄塔の塔体
【図１】
2010090667.tif 000003
【図２】
2010090667.tif 000004
【図３】
2010090667.tif 000005
【図４】
2010090667.tif 000006
【図５】
2010090667.tif 000007
【図６】
2010090667.tif 000008
【図７】
2010090667.tif 000009
【図８】
2010090667.tif 000010